(57)【要約】【課題】従来の問題を解決するためになされたもので、透明パネルの内面に付着した埃や塵等を、容易に除去できる投影装置を提供する。【解決手段】本発明の投影装置は、投影光を生成して射出する投影部と、前記投影光を反射するミラーと、前記投影部及び前記ミラーを内部に収容する筐体と、前記筐体の上面側に設けられ、前記投影光を筐体外部に透過させる透明部と、前記筐体にヒンジを介して開閉自在に固定され、前記投影光が投影されるスクリーンと、前記透明部よりも前記筐体内側に設けられ、前記スクリーンの開閉動作に連動して、前記透明部を擦りながら移動するワイパーと、を含む。【選択図】  図２
2015118288.tif 000002
【特許請求の範囲】
【請求項１】
投影光を生成して射出する投影部と、
前記投影光を反射するミラーと、
前記投影部及び前記ミラーを内部に収容する筐体と、
前記筐体の上面側に設けられ、前記投影光を筐体外部に透過させる透明部と、
前記筐体にヒンジを介して開閉自在に固定され、前記投影光が投影されるスクリーンと、
前記透明部よりも前記筐体内側に設けられ、前記スクリーンの開閉動作に連動して、前記透明部を擦りながら移動するワイパーと、
を含むことを特徴とする投影装置。
【請求項２】
請求項１に記載の投影装置において、
前記ワイパーは、前記筐体の幅方向に沿って配置された棒状の台座部材と、前記台座部材の上面側に前記幅方向に沿って固定されたワイパー部材と、を含むことを特徴とする投影装置。
【請求項３】
請求項２に記載の投影装置において、
前記台座部材の、前記ワイパー部材を挟んで対向する位置の少なくとも何れかに、前記ワイパー部材に沿った溝部を有することを特徴とする投影装置。
【請求項４】
請求項２又は請求項３に記載の投影装置において、
前記ワイパー部材が、前記台座部材に着脱可能であることを特徴とする投影装置。
【請求項５】
請求項２から請求項４のいずれか１項に記載の投影装置において、
前記ワイパー部材がクリーングクロスからなることを特徴とする投影装置。
【請求項６】
請求項２から請求項５のいずれか１項に記載の投影装置において、
前記台座部材の前記幅方向の端部の両方に設けられ、前記筐体の幅方向の側壁に沿って伸び、前記ヒンジの近傍で前記筐体の上面側に突出するように形成されたレバー突起を有する一対のアーム部と、
前記台座部材の前記端部の両方、若しくは、前記各アーム部の前記台座部材側に形成され、スプリングの一端を固定する一対の第１のスプリング固定部と、
前記ヒンジ側の前記各アーム部の端部近傍の前記筐体に設けられ、前記スプリングの他端を固定する一対の第２のスプリング固定部と、
前記第１のスプリング固定部に一端が固定され、前記第２のスプリング固定部に他端が固定された一対のスプリングと、
を含み、
前記スクリーンを開く方向に回動させると、前記回動動作に連動して前記レバー突起を前記スクリーンを開く方向と反対側に移動させ、その移動に伴って、前記台座部材が前記ワイパー部材を前記透明部に接触させた状態で、前記スプリングの付勢力に抗して前記透明部の前記ヒンジから遠い側に向かって移動し、
前記スクリーンを閉じる方向に回動させると、前記回動動作に連動して前記スプリングの付勢力で、前記台座部材を前記スクリーンを閉じる方向と反対側に移動させ、その移動に伴って、前記台座部材が前記ワイパー部材を前記透明部に接触させた状態で、前記透明部の前記ヒンジに近い側に向かって移動することを特徴とする投影装置。
【請求項７】
請求項６に記載の投影装置において、
前記ヒンジが、第１プレートと第２プレートと前記第１プレートと前記第２プレートとを回転自在に接続するヒンジ部材とを含み、
前記第１プレートが前記筐体の上面と略直交するように前記上面に固定され、
前記第２プレートが前記スクリーンの平面と略平行になるように前記スクリーンに固定され、
前記スクリーンを開く方向に回動すると、前記ヒンジ部材よりも前記スクリーンと反対側に延在する前記第２プレートの延在部が、前記回動動作に連動して前記レバー突起を前記スクリーンを開く方向と反対側に移動させ、前記延在部が前記第１プレートと当接すると、前記スクリーンの平面が前記筐体の上面と略直交する状態で停止し、
前記スクリーンを閉じる方向に回動すると、前記回動動作に連動して前記スプリングの付勢力で、前記台座部材を前記スクリーンを閉じる方向と反対側に移動させることを特徴とする投影装置。
【発明の詳細な説明】
【技術分野】
【０００１】
本発明は、筐体内部に投影機を搭載して、筐体外のスクリーンに画像を投影する投影装置に関する。
【背景技術】
【０００２】
従来、筐体内部に投影機を収容し、透明パネルを介して筐体外のスクリーンに画像を投影する投影機器が知られている（例えば、特許文献１参照）。
【０００３】
特許文献１に記載の投写型映像表示装置は、投写レンズ群と非球面ミラーとから構成される投写部と、光変調素子としてのＤＭＤ(Digital Micromirror Device)と、ＤＭＤへ光を照射する照明部と、ＤＭＤや照明部を構成するＬＥＤなどへ電力を供給するバッテリ部とを有する。 投写部は、複数のレンズから構成される投写レンズ群と、凹面の非球面ミラーと、映像光が出射する投写窓（透明パネル）とを有する。映像光は、投写レンズ群と非球面ミラーとの間で結像し、投写窓を通って投写型映像表示装置の設置面にて、再度、結像する。
【０００４】
また、投写型映像表示装置は、映像光生成部を冷却する冷却部を有する。冷却部は、筐体に設けられた排気口の近傍に設けられた軸流ファン、ＬＥＤを冷却するシロッコファンおよびＤＭＤを冷却するヒートシンクを有する。
投写型映像表示装置を冷却する空気は、筐体の一側面に設けられた吸気口から吸入され、投写型映像表示装置の内部を流通して映像生成部等を冷却した後、筐体の他の側面に設けられた排気口から排気される。
【先行技術文献】
【特許文献】
【０００５】
【特許文献１】特開２０１１−１５８５２２号公報（第２図、段落００２９）
【発明の概要】
【発明が解決しようとする課題】
【０００６】
しかしながら、前述したような投影機器（投写型映像表示装置）のように、筐体内部の電子部品等を冷却するために、ファンにより外部空気を筐体内に取り込む場合には、外部の埃や塵を一緒に取り込んでしまい、この埃等が、透明パネルの内面に付着する場合がある。そして、透明パネルを透過する際に、投影画像に埃等が映り込む場合があった。
このような場合には、透明パネルを取り外して、透明パネルを掃除して埃等を取り除くことが行われるが、非常に面倒であった。
【０００７】
本発明は、従来の問題を解決するためになされたもので、透明パネルの内面に付着した埃や塵等を、容易に除去できる投影装置を提供することを目的とする。
【課題を解決するための手段】
【０００８】
上記課題を解決するために、本発明は以下の構成によって把握される。
（１）本発明の投影装置は、投影光を生成して射出する投影部と、前記投影光を反射するミラーと、前記投影部及び前記ミラーを内部に収容する筐体と、前記筐体の上面側に設けられ、前記投影光を筐体外部に透過させる透明部と、前記筐体にヒンジを介して開閉自在に固定され、前記投影光が投影されるスクリーンと、前記透明部よりも前記筐体内側に設けられ、前記スクリーンの開閉動作に連動して、前記透明部を擦りながら移動するワイパーと、を含む。
【発明の効果】
【０００９】
本発明は、透明部よりも筐体内側に設けられ、スクリーンの開閉動作に連動して、透明部を擦りながら移動するワイパーを設けた。このため、スクリーンを開閉させることにより、ワイパーが透明部の内面を擦るので、透明パネルの内面に付着した埃や塵等を、容易に除去できるという効果を有する投影装置を提供できる。
【図面の簡単な説明】
【００１０】
【図１】本発明に係る実施形態の投影装置の全体斜視図
【図２】本発明に係る実施形態の投影装置を幅方向中央において上下方向に切断した断面図
【図３】本発明に係る実施形態の投影装置においてスクリーンを開けてパネルを外した状態の全体斜視図
【図４】図２中ＩＶ部分の拡大断面図
【図５】スクリーンを閉じてスプリングが縮んだときの筐体を下方（裏側）から見た斜視図
【図６】スクリーンを開けてスプリングが伸長したときの筐体を下方（裏側）から見た斜視図
【図７】レバー突起と第２プレートの延在部との位置関係を示す模式図
【図８】スクリーンを閉じた状態の投影装置の斜視図
【図９】開状態のスクリーンを閉じる状態の投影装置の斜視図
【発明を実施するための形態】
【００１１】
以下、本発明に係る実施形態の投影装置について、図面を用いて説明する。
図１に示すように、本発明に係る実施形態の投影装置１０は、全体略矩形箱状の筐体２０を有する。
なお、以下の説明においては、筐体２０を机等に載置した際の上方（上側）を「上方（上側）」とし、後述するスクリーン２６側を前方（前側）とし、反対側を後方（後側）として説明する。
【００１２】
筐体２０は、前後左右を囲う側壁２１を有し、側壁２１の上端部には上方に開口した開口部２２を有する。
図２に示されるように、開口部２２には、パネル２３が取り付けられている。パネル２３は筐体２０の開口部２２全体を覆う平板状の樹脂製部材であり、中央には光を透過する透明部２３１が設けられている。
なお、図２において点線で示すパネル２３の透明部２３１の外側は、例えば黒色印刷等により、筐体２０の内部が見えないようになっている。
しかしながら、このような黒色印刷等は必須のものでは無い。
【００１３】
図２に示すように、筐体２０の内部における略中央には、投影光を生成して筐体２０の後方に向けて射出する投影部２４が設けられている。筐体２０の後方には、凹面の反射面を有する第１のミラー２５が、投影部２４からの投影光を、平面の反射面を有する第２のミラー２９へ向けて反射し、続いて第２のミラー２９で反射された投影光がスクリーン２６へ向けて反射するように設けられている。
従って、投影部２４から発せられた投影光（画像）ＬＢ１は、第１のミラー２５で下方に向けて反射された後、第２のミラー２９で上方に向けて反射され、パネル２３の透明部２３１を通って筐体２０の外部に設けられているスクリーン２６に投射される（投影光ＬＢ２）。
投写された画像を映すためのスクリーン２６は、筐体２０の前端部上面に取り付けられているヒンジ２７（図１参照）を介して、筐体２０に対して開閉可能に支持されており、使用時にはスクリーン２６を立てた状態にでき、使用しないときは、筐体２０側にスクリーン２６を倒した状態に収納することができるようになっている。
【００１４】
ヒンジ２７は、筐体２０の上面と略直交するように筐体２０の上面に固定された第１プレート２７１と、スクリーン２６を取り付けるための第２プレート２７２と、第１プレート２７１及び第２プレート２７２を回転自在に接続するヒンジ部材２７３（図１参照）と、を有する。
なお、第２プレート２７２には、ヒンジ部材２７３を越えた反対側に延長して、延在部２７４が設けられている（図２参照）。
【００１５】
このヒンジ２７の構造によって、第２プレート２７２に取り付けられたスクリーン２６は、第１プレート２７１すなわち筐体２０に対して開閉可能であり、スクリーン２６を開く方向（前方）へ第２プレート２７２を回動させると、その回動に合わせて、延在部２７４は、反対側である後方へ移動するようになっている。
【００１６】
図２に示すように、筐体２０内部におけるパネル２３の下側には、ワイパー３０が前後方向に往復移動可能に設けられている。
図３に示すように、ワイパー３０は、筐体２０の幅方向に沿って略全幅にわたって配置された棒状の台座部材３１を有する。台座部材３１の幅方向の両端部には、筐体２０の幅方向の側壁２１に沿って伸びる一対のアーム部３２が設けられている。
従って、ワイパー３０は、台座部材３１と一対のアーム部３２とで、全体コ字形状に形成されている。
なお、アーム部３２として、台座部材３１とは別体のアーム部材を設け、台座部材３１をアーム部材に着脱可能に固定することもできる。
【００１７】
各アーム部３２の前端には、筐体２０の上面から突出するレバー突起３４が設けられている。
レバー突起３４は、矩形の前側上部の一隅を切除した傾斜面３４１（図７参照）を少なくとも有する断面形状を呈している。すなわち、傾斜面３４１は、前方に向かって下がるように傾斜しており、平面又は曲面で形成される。また傾斜面３４１は、滑らかな面に形成されており、他部材が接触した際に滑りやすくなっている。
【００１８】
図４に示すように、台座部材３１は、例えば略矩形の断面形状を有しており、上面３１１には、筐体２０の幅方向に沿って、ワイパー部材３５が着脱可能に取り付けられている。ワイパー部材３５は、例えば両面テープのような着脱可能な取付手段を用いて台座部材３１に取り付けることができる。また、ワイパー部材３５には、例えばクリーングクロスを用いることができる。
台座部材３１の上面３１１において、ワイパー部材３５を挟んで対向する位置に、ワイパー部材３５の長手方向に沿った一対の溝部３１２が設けられている。
【００１９】
図５及び図６は、筐体２０の裏側から見たときの図であり、ワイパー３０等の状態が見えるように、投影部２４等の部材については、図示していない。
図５及び図６に示すように、ワイパー３０には、筐体２０の側壁２１に沿って配置された一対のスプリング３３が連結されており、そのスプリング３３は、ワイパー３０に対して前側に付勢する付勢力を与えている。
図５は、スプリング３３が縮んだ状態となり、ワイパー３０が筐体２０の前方に位置されている状態を示しており、一方、図６は、スプリング３３の付勢力に抗してワイパー３０が筐体２０の後方に位置している状態を示している。
【００２０】
以下、このような動作を担うスプリング３３の具体的な取り付け構造について説明する。
図５及び図６に示すように、台座部材３１の筐体２０の幅方向両端部には、スプリング３３の一端を固定する一対のワイパー側スプリング固定部（スプリング固定部）３６が設けられている。
なお、本例では、スプリング固定部３６は台座部材３１に設けているが、台座部材３１に近い位置の各アーム部３２にスプリング固定部３６を設けても良い。
【００２１】
ここで、台座部材３１及び各アーム部３２は、筐体２０に対して前後方向に移動可能に取り付けられている。
なお、各アーム部３２が見やすいように図示していないが、各アーム部３２は、例えば、ＬＭガイドのようなガイド構造で筐体２０の側壁２１に沿って移動できるように筐体２０の側壁２１に支持されている。
このため、台座部材３１、若しくは、台座部材３１に近い位置の各アーム部３２に設けられるスプリング固定部３６は、筐体２０の前後方向に移動可能な移動端となる。
【００２２】
一方、ヒンジ２７側（前側）の各アーム部３２の端部近傍の筐体２０には、スプリングの他端を固定する一対の筐体側スプリング固定部（スプリング固定部）２８が設けられている。このスプリング固定部２８は筐体２０に設けられているので固定端として動くことはない。
【００２３】
スプリング３３は、移動端であるスプリング固定部３６と固定端であるスプリング固定部２８とを架橋するように取り付けられている。
このため、スプリング３３が縮む時には、固定端であるスプリング固定部２８を筐体２０の後方には動かせないので、移動端であるスプリング固定部３６の方が筐体２０の前側に引き寄せられ、その時、台座部材３１及び各アーム部３２も一緒に筐体２０の前側に移動する。
【００２４】
一方、後ほど詳細に説明するが、各アーム部３２が筐体２０の後方に押されたときには、移動端であるスプリング固定部３６も筐体２０の後方に動くことになり、このときには、図６に示されるように、台座部材３１及び各アーム部３２が筐体２０の後方に位置するのに合わせて、スプリング３３が伸びた状態となる。
【００２５】
次に、スクリーン２６の開閉によりワイパー３０を前後方向に移動させる移動機構について説明する。
前述したように、スプリング３３は、台座部材３１及び各アーム部３２に対して前方へ付勢する付勢力を与えているので、アーム部３２に設けられているレバー突起３４もスプリング３３により、前方へ付勢されている。
図７中、二点鎖線で示す位置が、レバー突起３４の最も前方位置にある場合である。
この位置では、レバー突起３４は、ストッパーによりこれ以上前方へ移動しないようにすることができる。または、スプリング３３がこれ以上縮まない自然長となったときの位置が二点線で示す位置になるように設定しておいても良い。
以下では、このレバー突起３４が最も前方に位置している時のレバー突起３４の位置を前端位置（図７中二点鎖線の位置）と記載する場合がある。
【００２６】
図７を見るとわかるとおり、この位置では、スクリーン２６が完全に閉じられており、スクリーン２６を支持する第２プレート２７２の延在部２７４が、レバー突起３４から離れている。
そして、レバー突起３４の前端位置（図７中二点鎖線の位置）は、ヒンジ部材２７３の回転中心ＣＰ回りに第２プレート２７２を回転させたときに、第２プレート２７２の延在部２７４の先端２７５が、レバー突起３４の傾斜面３４１の上端３４２に少なくとも当接する位置に設けられている。
【００２７】
なお、図７では、丁度、第２プレート２７２を回転させたときに、第２プレート２７２の先端２７５が、レバー突起３４の傾斜面３４１の上端３４２に当たる位置を示しているが、もう少し、レバー突起３４の前端位置（図７中二点鎖線の位置）を後方に設定し、確実に、第２プレート２７２の先端２７５が、レバー突起３４の傾斜面３４１に当接するようにすることが望ましい。
【００２８】
これにより、スクリーン２６を閉状態から開く際に、延在部２７４がレバー突起３４を後方へ移動させることができる（図７の実線参照）。
そして、このレバー突起３４の後方への移動は、各アーム部３２を後方に移動させるので台座部材３１も図６に示したように筐体２０の後方に位置し、それによって、スプリング３３が伸びた状態となる。
【００２９】
次に、スクリーン２６の開閉動作に伴うワイパー３０の動作について説明する。
図８に示すように、スクリーン２６を閉じた状態（図７において二点鎖線で示す状態参照）では、図４に示す台座部材３１の上面３１１に設けられたワイパー部材３５は、パネル２３の透明部２３１の前端よりも前側に位置する（図５参照）。
スクリーン２６を閉状態から開く方向に回動（図８中矢印Ａ１参照）させると、スクリーン２６が取り付けられている第２プレート２７２が一体で回動する。
これに伴い、第２プレート２７２の延在部２７４がレバー突起３４の傾斜面３４１の少なくとも一部に当接する（図７参照）。さらにスクリーン２６を開くと、延在部２７４がレバー突起３４の傾斜面３４１を滑ることにより、レバー突起３４が後方へ移動する（図８中矢印Ａ２参照）。
【００３０】
これにより、レバー突起３４が設けられているアーム部３２が後方へ移動し、アーム部３２に取り付けられている台座部材３１も後方へ移動する（図６参照）。
従って、台座部材３１に取り付けられてパネル２３の透明部２３１の内面に接触しているワイパー部材３５が、透明部２３１の内面に沿って透明部２３１を擦りながら後方へ移動して透明部２３１の内面を清掃する。
【００３１】
このとき、取り除かれた埃等は、台座部材３１の上面３１１においてワイパー部材３５の両側に設けられている溝部３１２に収容される。
そして、延在部２７４が、第１プレート２７１に当接したら、スクリーン２６の開動作が完了し、スクリーン２６は、筐体２０に対して垂直状態となる。
このとき、ワイパー３０のワイパー部材３５は、透明部２３１の後端よりも後方に位置する。
【００３２】
一方、図９に示すように、開状態にあるスクリーン２６を閉じると、図８に示す延在部２７４が前方へ移動する。そうすると、レバー突起３４は延在部２７４で後方に付勢されなくなり、それに伴って、図６に示すスプリング３３の付勢力によって、ワイパー３０が筐体２０の前方に移動する（図９中矢印Ｃ２参照）。このとき、レバー突起３４も前方へ移動する（図９中矢印Ｃ１参照）。
そして、図４に示す台座部材３１に取り付けられているワイパー部材３５が、パネル２３の透明部２３１の内面に沿って擦りながら前方へ移動して、透明部２３１の内面を清掃する。
レバー突起３４の移動は、スプリング３３の付勢力がゼロになる自然長になるか、あるいは、レバー突起３４のストッパーが設けられている場合には、ストッパーに当接する状態になると停止する。このとき、ワイパー３０の移動も停止する。
【００３３】
次に、本実施形態の投影装置１０の作用効果について説明する。
図２に示すように、筐体２０の内部には、投影光ＬＢ１を生成して射出する投影部２４や、投影光ＬＢ１を反射する（投影光ＬＢ２）第１のミラー２５、第２のミラー２９等が収容されている。また、筐体２０は、投影光ＬＢ２を筐体２０外部に透過させる透明部２３１と、透明部２３１を透過した投影光を投影するスクリーン２６と、を有する。スクリーン２６は、筐体２０にヒンジ２７を介して開閉自在に固定されている（図１参照）。
そして、透明部２３１よりも筐体２０の内側に、スクリーン２６の開閉動作に連動して、透明部２３１を擦りながら移動するワイパー３０を設けた。
このため、スクリーン２６を開閉させることにより、ワイパー３０が透明部２３１の内面を擦るので、透明部２３１の内面に付着した埃や塵等を、容易に除去することができる。
【００３４】
具体的には、ワイパー３０は、筐体２０の幅方向に沿って配置された棒状の台座部材３１と、台座部材３１の上面側に幅方向（長手方向）に沿って固定されたワイパー部材３５と、を有し、スクリーン２６の開閉に伴って台座部材３１が移動することで、台座部材３１に取り付けられているワイパー部材３５が、透明部２３１の内面を擦って清掃する。
【００３５】
本実施形態では、台座部材３１の、ワイパー部材３５を挟んで対向する位置に、ワイパー部材３５の長手方向に沿った一対の溝部３１２を設けた。
このため、ワイパー部材３５が拭き取った埃等を、溝部３１２に収容することができ、埃等が他の箇所に付着するのを防止できる。
【００３６】
また、ワイパー部材３５を台座部材３１に対して着脱可能にしたので、汚れたら容易に交換したり清掃したりすることができる。
【００３７】
ワイパー部材３５をクリーングクロスとすることで、パネル２３の透明部２３１の内面を、傷付けることなくきれいに清掃することができる。
【００３８】
本実施形態では、ワイパー３０は、台座部材３１と台座部材３１の両端に設けられた一対のアーム部３２とから全体コ字形状に形成されている。
アーム部３２は、筐体２０の幅方向の側壁に沿って延びており、筐体２０の幅方向の側壁に沿って移動可能となっている。各アーム部３２は、ヒンジ２７の近傍で筐体２０の上面側に突出するレバー突起３４を有する。
台座部材３１の端部の両方、若しくは、各アーム部３２の台座部材３１側には、アーム部３２に沿って設けられているスプリング３３の一端を固定する一対のワイパー側スプリング固定部３６が設けられている。一方、ヒンジ２７側の各アーム部３２の端部近傍の筐体２０には、スプリング３３の他端を固定する一対の筐体側スプリング固定部２８が設けられている。
そして、各アーム部３２に沿って配置された一対のスプリング３３の一端をスプリング３３の一端を固定する一対のスプリング固定部３６に固定し、一対のスプリング３３の他端をスプリング３３の他端を固定する一対のスプリング固定部２８固定するようにしている。
【００３９】
このように構成することで、レバー突起３４が後方に押されると、ワイパー３０が筐体２０の後方に移動するとともにスプリング３３が伸びた状態を実現し、レバー突起３４が後方に押されなくなるとスプリング３３の付勢力でワイパー３０が自然と筐体２０の前方に移動できるようになっている。
【００４０】
さらに、レバー突起３４の後方へ押す動作が、スクリーン２６を開く方向に回動させると、回動動作に連動してレバー突起３４をスクリーン２６の開く方向と反対側（すなわち、後方）に移動させるようにされている。
そのレバー突起３４の移動に伴って、台座部材３１がワイパー部材３５を透明部２３１に接触させた状態で、スプリング３３の付勢力に抗して透明部２３１のヒンジ２７から遠い側の端部を超える位置まで移動するようになっている。
このため、スクリーン２６の開く動作に連動してワイパー３０が動作するようになっている。
【００４１】
一方、スクリーン２６を閉じる方向に回動させると、回動動作に連動してスプリング３３の付勢力で、台座部材３１を閉じる方向と反対側（すなわち、前方）に移動させ、その移動に伴って、台座部材３１がワイパー部材３５を透明部２３１に接触させた状態で、透明部２３１のヒンジ２７に近い側の端部を超える位置まで移動する。
このため、スクリーン２６を閉じる動作にも連動してワイパー３０が動作するようになっている。
【００４２】
従って、スクリーン２６の開閉動作に連動して、透明部２３１を擦りながら移動するワイパー３０になっている。
これにより、透明部２３１の内面に付着した埃や塵等を、容易に除去することができる。
【００４３】
なお、本実施形態では、アーム部３２と台座部材３１とは、一体である場合を示したが、前述したように、アーム部３２を個別にアーム部材としておき、台座部材３１をアーム部材から着脱可能に固定したものとすれば、台座部材３１をアーム部材から取り外して、台座部材３１に設けられている溝部３１２に収容されている埃等を除去することができるので好適である。
また、台座部材３１をアーム部材から取り外して、台座部材３１に取り付けられているワイパー部材３５を交換したり清掃したりすることができる。
【００４４】
本実施形態では、ヒンジ２７が、第１プレート２７１と、第２プレート２７２と、これら第１プレート２７１及び第２プレート２７２を回転自在に接続するヒンジ部材２７３とを有する構成とし、第１プレート２７１は、筐体２０の上面と略直交するように筐体２０の上面に固定され、第２プレート２７２は、スクリーン２６の平面と略平行になるようにスクリーン２６に固定されているようにした。
【００４５】
そして、このようなヒンジ２７とすることで、スクリーン２６を開く方向に回動させると、ヒンジ部材２７３よりもスクリーン２６と反対側に延在する第２プレート２７２の延在部２７４が、回動動作に連動してレバー突起３４をスクリーン２６の開く方向と反対側（後方）に移動させ、延在部２７４が、第１プレート２７１と当接すると、スクリーン２６の平面が筐体２０の上面と略直交する状態で停止するようにした。
また、スクリーン２６を閉じる方向に回動させると、回動動作に連動してスプリング３３の付勢力で、スクリーン２６を閉じる方向と反対側（前方）に台座部材３１を移動させるようにした。
これにより、スクリーン２６の開閉動作に対応して台座部材３１が往復移動し、台座部材３１に取り付けられているワイパー部材３５が透明部２３１の内面を往復移動して清掃できるようになっている。
【００４６】
以上、具体的な実施形態を示しながら本発明の投影装置について説明を行ってきたが、本発明は、前述した実施形態に限定されるものでなく、適宜な変形，改良等が可能である。
例えば、前述した実施形態においては、スクリーン２６と一体で回動する第２プレート２７２の延在部２７４が、筐体２０の上面に突出しているレバー突起３４を後方へ移動させることにより、ワイパー３０を後方へ移動させ、スプリング３３の復帰力によりワイパー３０を前方へ移動させる場合について例示した。
この他、スクリーン２６の開閉を検知して、モータ及びギヤを有する移動機構を制御することにより、ワイパー３０を往復移動させるようにすることも可能である。
【００４７】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００４８】
〔付記〕
＜請求項１＞
投影光を生成して射出する投影部と、
前記投影光を反射するミラーと、
前記投影部及び前記ミラーを内部に収容する筐体と、
前記筐体の上面側に設けられ、前記投影光を筐体外部に透過させる透明部と、
前記筐体にヒンジを介して開閉自在に固定され、前記投影光が投影されるスクリーンと、
前記透明部よりも前記筐体内側に設けられ、前記スクリーンの開閉動作に連動して、前記透明部を擦りながら移動するワイパーと、
を含むことを特徴とする投影装置。
＜請求項２＞
請求項１に記載の投影装置において、
前記ワイパーは、前記筐体の幅方向に沿って配置された棒状の台座部材と、前記台座部材の上面側に前記幅方向に沿って固定されたワイパー部材と、を含むことを特徴とする投影装置。
＜請求項３＞
請求項２に記載の投影装置において、
前記台座部材の、前記ワイパー部材を挟んで対向する位置の少なくとも何れかに、前記ワイパー部材に沿った溝部を有することを特徴とする投影装置。
＜請求項４＞
請求項２又は請求項３に記載の投影装置において、
前記ワイパー部材が、前記台座部材に着脱可能であることを特徴とする投影装置。
＜請求項５＞
請求項２から請求項４のいずれか１項に記載の投影装置において、
前記ワイパー部材がクリーングクロスからなることを特徴とする投影装置。
＜請求項６＞
請求項２から請求項５のいずれか１項に記載の投影装置において、
前記台座部材の前記幅方向の端部の両方に設けられ、前記筐体の幅方向の側壁に沿って伸び、前記ヒンジの近傍で前記筐体の上面側に突出するように形成されたレバー突起を有する一対のアーム部と、
前記台座部材の前記端部の両方、若しくは、前記各アーム部の前記台座部材側に形成され、スプリングの一端を固定する一対の第１のスプリング固定部と、
前記ヒンジ側の前記各アーム部の端部近傍の前記筐体に設けられ、前記スプリングの他端を固定する一対の第２のスプリング固定部と、
前記第１のスプリング固定部に一端が固定され、前記第２のスプリング固定部に他端が固定された一対のスプリングと、
を含み、
前記スクリーンを開く方向に回動させると、前記回動動作に連動して前記レバー突起を前記スクリーンを開く方向と反対側に移動させ、その移動に伴って、前記台座部材が前記ワイパー部材を前記透明部に接触させた状態で、前記スプリングの付勢力に抗して前記透明部の前記ヒンジから遠い側に向かって移動し、
前記スクリーンを閉じる方向に回動させると、前記回動動作に連動して前記スプリングの付勢力で、前記台座部材を前記スクリーンを閉じる方向と反対側に移動させ、その移動に伴って、前記台座部材が前記ワイパー部材を前記透明部に接触させた状態で、前記透明部の前記ヒンジに近い側に向かって移動することを特徴とする投影装置。
＜請求項７＞
請求項６に記載の投影装置において、
前記ヒンジが、第１プレートと第２プレートと前記第１プレートと前記第２プレートとを回転自在に接続するヒンジ部材とを含み、
前記第１プレートが前記筐体の上面と略直交するように前記上面に固定され、
前記第２プレートが前記スクリーンの平面と略平行になるように前記スクリーンに固定され、
前記スクリーンを開く方向に回動すると、前記ヒンジ部材よりも前記スクリーンと反対側に延在する前記第２プレートの延在部が、前記回動動作に連動して前記レバー突起を前記スクリーンを開く方向と反対側に移動させ、前記延在部が前記第１プレートと当接すると、前記スクリーンの平面が前記筐体の上面と略直交する状態で停止し、
前記スクリーンを閉じる方向に回動すると、前記回動動作に連動して前記スプリングの付勢力で、前記台座部材を前記スクリーンを閉じる方向と反対側に移動させることを特徴とする投影装置。
【符号の説明】
【００４９】
１０  投影装置
２０  筐体
２３１  透明部
２４  投影部
２５  第１のミラー
２６  スクリーン
２７  ヒンジ
２７１  第１プレート
２７２  第２プレート
２７３  ヒンジ部材
２７４  延在部
２８  筐体側スプリング固定部（第２のスプリング固定部）
２９  第２のミラー
３０  ワイパー
３１  台座部材
３１２  溝部
３２  アーム部
３３  スプリング
３４  レバー突起
３５  ワイパー部材
３６  ワイパー側スプリング固定部（第１のスプリング固定部）
ＬＢ１  投影光
【図１】
2015118288.tif 000003
【図２】
2015118288.tif 000004
【図３】
2015118288.tif 000005
【図４】
2015118288.tif 000006
【図５】
2015118288.tif 000007
【図６】
2015118288.tif 000008
【図７】
2015118288.tif 000009
【図８】
2015118288.tif 000010
【図９】
2015118288.tif 000011